【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
歩行者が所持して、車載端末装置との間で歩車間通信を行う歩行者端末装置であって、
自装置の位置情報を取得する位置情報取得部と、
前記車載端末装置との間で前記歩車間通信により通知情報を送受信する歩車間通信部と、
この歩車間通信部を制御する制御部と、
を備え、
前記歩車間通信部は、自装置の周辺に存在する別の歩行者端末装置から送信される通知情報を受信し、
前記制御部は、自装置の位置情報および前記通知情報に含まれる前記別の歩行者端末装置の位置情報に基づいて、自装置を所持する歩行者が近傍の別の歩行者で取り囲まれた包囲状態であるか否かを判定し、前記包囲状態である場合には、前記歩車間通信を停止することを特徴とする歩行者端末装置。
【請求項２】
さらに、前記別の歩行者端末装置との間で近距離通信により通知情報を送受信する近距離通信部を備え、
前記歩車間通信を停止する場合に、前記歩車間通信を停止しない前記別の歩行者端末装置との間で、前記近距離通信により前記通知情報を送受信することを特徴とする請求項１に記載の歩行者端末装置。
【請求項３】
さらに、前記別の歩行者端末装置との間で近距離通信により通知情報を送受信する近距離通信部を備え、
前記歩車間通信を停止しない場合に、前記歩車間通信を停止した前記別の歩行者端末装置との間で、前記近距離通信により前記通知情報を送受信することを特徴とする請求項１に記載の歩行者端末装置。
【請求項４】
前記制御部は、自装置を所持する歩行者を中心とした所定の範囲において、自装置を所持する歩行者の四方に他の歩行者が存在する場合に、包囲状態であると判定することを特徴とする請求項１から請求項３のいずれかに記載の歩行者端末装置。
【請求項５】
前記制御部は、自装置および前記別の歩行者端末装置の位置情報と地図情報とに基づいて、自装置を所持する歩行者が、危険性が高いエリアに近接した位置にいない場合には、前記歩車間通信を停止することを特徴とする請求項１から請求項４のいずれかに記載の歩行者端末装置。
【請求項６】
前記制御部は、自装置および前記別の歩行者端末装置の位置情報と地図情報とに基づいて、危険性の状況が類似する前記別の歩行者端末装置との間で、前記近距離通信により前記通知情報を送受信することを特徴とする請求項２または請求項３に記載の歩行者端末装置。
【請求項７】
前記制御部は、自装置の位置情報と前記通知情報に含まれる前記別の歩行者端末装置の位置情報および人物識別情報とに基づいて、自装置を所持する歩行者を中心とした所定の範囲内に交通誘導警備を行う人物が所持する歩行者端末装置が存在する場合には、前記歩車間通信を停止することを特徴とする請求項１から請求項６のいずれかに記載の歩行者端末装置。
【請求項８】
車両に搭載されて、歩行者端末装置との間で歩車間通信を行う車載端末装置であって、
自装置の位置情報を取得する位置情報取得部と、
前記歩行者端末装置との間で前記歩車間通信により通知情報を送受信する歩車間通信部と、
この歩車間通信部を制御する制御部と、
を備え、
前記歩車間通信部は、自装置の周辺に存在する別の車載端末装置から送信される通知情報を受信し、
前記制御部は、自装置の位置情報および前記通知情報に含まれる前記別の車載端末装置の位置情報に基づいて、自装置が搭載された車両が近傍の別の車両で取り囲まれた包囲状態であるか否かを判定し、前記車両が前記包囲状態である場合には、前記歩車間通信を停止することを特徴とする車載端末装置。
【請求項９】
車両に搭載される車載端末装置と、歩行者が所持する歩行者端末装置との間で行われる歩車間通信を制御する歩車間通信制御装置であって、
複数の前記歩行者端末装置の各々との間で通信を行う通信部と、
複数の前記歩行者端末装置の各々における歩車間通信を制御する制御部と、
を備え、
前記通信部は、複数の前記歩行者端末装置の各々から送信される位置情報を受信し、
前記制御部は、複数の前記歩行者端末装置の各々の位置情報に基づいて、複数の前記歩行者端末装置の各々を所持する歩行者が近傍の別の歩行者で取り囲まれた包囲状態であるか否かを判定し、前記歩行者が前記包囲状態である場合には、該当する前記歩行者端末装置に対して前記歩車間通信を停止する指示を行うことを特徴とする歩車間通信制御装置。
【請求項１０】
車両に搭載される車載端末装置と、歩行者が所持する歩行者端末装置と、を備え、前記車載端末装置と前記歩行者端末装置との間で歩車間通信を行う歩車間通信システムであって、
前記歩行者端末装置は、
自装置の位置情報を取得する位置情報取得部と、
前記車載端末装置との間で前記歩車間通信により通知情報を送受信する歩車間通信部と、
この歩車間通信部を制御する制御部と、
を備え、
前記歩車間通信部は、自装置の周辺に存在する別の歩行者端末装置から送信される通知情報を受信し、
前記制御部は、自装置の位置情報および前記通知情報に含まれる前記別の歩行者端末装置の位置情報に基づいて、自装置を所持する歩行者が近傍の別の歩行者で取り囲まれた包囲状態であるか否かを判定し、前記歩行者が前記包囲状態である場合には、前記歩車間通信を停止することを特徴とする歩車間通信システム。
【請求項１１】
車両に搭載される車載端末装置と、歩行者が所持する歩行者端末装置との間で歩車間通信を行う歩車間通信方法であって、
前記歩行者端末装置において、
自装置の位置情報を取得し、
自装置の周辺に存在する別の歩行者端末装置から送信される位置情報を受信し、
自装置および前記別の歩行者端末装置の位置情報に基づいて、自装置を所持する歩行者が近傍の別の歩行者で取り囲まれた包囲状態であるか否かを判定し、前記歩行者が前記包囲状態である場合には、前記歩車間通信を停止することを特徴とする歩車間通信方法。
【手続補正２】
【補正対象書類名】明細書
【補正対象項目名】０００９
【補正方法】変更
【補正の内容】
【０００９】
本発明の歩行者端末装置は、歩行者が所持して、車載端末装置との間で歩車間通信を行う歩行者端末装置であって、自装置の位置情報を取得する位置情報取得部と、前記車載端末装置との間で前記歩車間通信により通知情報を送受信する歩車間通信部と、この歩車間通信部を制御する制御部と、を備え、前記歩車間通信部は、自装置の周辺に存在する別の歩行者端末装置から送信される通知情報を受信し、前記制御部は、自装置の位置情報および前記通知情報に含まれる前記別の歩行者端末装置の位置情報に基づいて、自装置を所持する歩行者が近傍の別の歩行者で取り囲まれた包囲状態であるか否かを判定し、前記歩行者が前記包囲状態である場合には、前記歩車間通信を停止する構成とする。
【手続補正３】
【補正対象書類名】明細書
【補正対象項目名】００１０
【補正方法】変更
【補正の内容】
【００１０】
また、本発明の車載端末装置は、車両に搭載されて、歩行者端末装置との間で歩車間通信を行う車載端末装置であって、自装置の位置情報を取得する位置情報取得部と、前記歩行者端末装置との間で前記歩車間通信により通知情報を送受信する歩車間通信部と、この歩車間通信部を制御する制御部と、を備え、前記歩車間通信部は、自装置の周辺に存在する別の車載端末装置から送信される通知情報を受信し、前記制御部は、自装置の位置情報および前記通知情報に含まれる前記別の車載端末装置の位置情報に基づいて、自装置が搭載された車両が近傍の別の車両で取り囲まれた包囲状態であるか否かを判定し、前記車両が前記包囲状態である場合には、前記歩車間通信を停止する構成とする。
【手続補正４】
【補正対象書類名】明細書
【補正対象項目名】００１１
【補正方法】変更
【補正の内容】
【００１１】
また、本発明の歩車間通信制御装置は、車両に搭載される車載端末装置と、歩行者が所持する歩行者端末装置との間で行われる歩車間通信を制御する歩車間通信制御装置であって、複数の前記歩行者端末装置の各々との間で通信を行う通信部と、複数の前記歩行者端末装置の各々における歩車間通信を制御する制御部と、を備え、前記通信部は、複数の前記歩行者端末装置の各々から送信される位置情報を受信し、前記制御部は、複数の前記歩行者端末装置の各々の位置情報に基づいて、複数の前記歩行者端末装置の各々を所持する歩行者が近傍の別の歩行者で取り囲まれた包囲状態であるか否かを判定し、前記歩行者が前記包囲状態である場合には、該当する前記歩行者端末装置に対して前記歩車間通信を停止する指示を行う構成とする。
【手続補正５】
【補正対象書類名】明細書
【補正対象項目名】００１２
【補正方法】変更
【補正の内容】
【００１２】
また、本発明の歩車間通信システムは、車両に搭載される車載端末装置と、歩行者が所持する歩行者端末装置と、を備え、前記車載端末装置と前記歩行者端末装置との間で歩車間通信を行う歩車間通信システムであって、前記歩行者端末装置は、自装置の位置情報を取得する位置情報取得部と、前記車載端末装置との間で前記歩車間通信により通知情報を送受信する歩車間通信部と、この歩車間通信部を制御する制御部と、を備え、前記歩車間通信部は、自装置の周辺に存在する別の歩行者端末装置から送信される通知情報を受信し、前記制御部は、自装置の位置情報および前記通知情報に含まれる前記別の歩行者端末装置の位置情報に基づいて、自装置を所持する歩行者が近傍の別の歩行者で取り囲まれた包囲状態であるか否かを判定し、前記歩行者が前記包囲状態である場合には、前記歩車間通信を停止する構成とする。
【手続補正６】
【補正対象書類名】明細書
【補正対象項目名】００１３
【補正方法】変更
【補正の内容】
【００１３】
また、本発明の歩車間通信方法は、車両に搭載される車載端末装置と、歩行者が所持する歩行者端末装置との間で歩車間通信を行う歩車間通信方法であって、前記歩行者端末装置において、自装置の位置情報を取得し、自装置の周辺に存在する別の歩行者端末装置から送信される位置情報を受信し、自装置および前記別の歩行者端末装置の位置情報に基づいて、自装置を所持する歩行者が近傍の別の歩行者で取り囲まれた包囲状態であるか否かを判定し、前記歩行者が前記包囲状態である場合には、前記歩車間通信を停止する構成とする。
【手続補正７】
【補正対象書類名】明細書
【補正対象項目名】００１６
【補正方法】変更
【補正の内容】
【００１６】
前記課題を解決するためになされた第１の発明は、歩行者が所持して、車載端末装置との間で歩車間通信を行う歩行者端末装置であって、自装置の位置情報を取得する位置情報取得部と、前記車載端末装置との間で前記歩車間通信により通知情報を送受信する歩車間通信部と、この歩車間通信部を制御する制御部と、を備え、前記歩車間通信部は、自装置の周辺に存在する別の歩行者端末装置から送信される通知情報を受信し、前記制御部は、自装置の位置情報および前記通知情報に含まれる前記別の歩行者端末装置の位置情報に基づいて、自装置を所持する歩行者が近傍の別の歩行者で取り囲まれた包囲状態であるか否かを判定し、前記歩行者が前記包囲状態である場合には、前記歩車間通信を停止する構成とする。
【手続補正８】
【補正対象書類名】明細書
【補正対象項目名】００２２
【補正方法】変更
【補正の内容】
【００２２】
また、第４の発明は、前記制御部は、自装置を所持する歩行者を中心とした所定の範囲において、自装置を所持する歩行者の四方に他の歩行者が存在する場合に、包囲状態であると判定する構成とする。
【手続補正９】
【補正対象書類名】明細書
【補正対象項目名】００３０
【補正方法】変更
【補正の内容】
【００３０】
また、第８の発明は、車両に搭載されて、歩行者端末装置との間で歩車間通信を行う車載端末装置であって、自装置の位置情報を取得する位置情報取得部と、前記歩行者端末装置との間で前記歩車間通信により通知情報を送受信する歩車間通信部と、この歩車間通信部を制御する制御部と、を備え、前記歩車間通信部は、自装置の周辺に存在する別の車載端末装置から送信される通知情報を受信し、前記制御部は、自装置の位置情報および前記通知情報に含まれる前記別の車載端末装置の位置情報に基づいて、自装置が搭載された車両が近傍の別の車両で取り囲まれた包囲状態であるか否かを判定し、前記車両が前記包囲状態である場合には、前記歩車間通信を停止する構成とする。
【手続補正１０】
【補正対象書類名】明細書
【補正対象項目名】００３２
【補正方法】変更
【補正の内容】
【００３２】
また、第９の発明は、車両に搭載される車載端末装置と、歩行者が所持する歩行者端末装置との間で行われる歩車間通信を制御する歩車間通信制御装置であって、複数の前記歩行者端末装置の各々との間で通信を行う通信部と、複数の前記歩行者端末装置の各々における歩車間通信を制御する制御部と、を備え、前記通信部は、複数の前記歩行者端末装置の各々から送信される位置情報を受信し、前記制御部は、複数の前記歩行者端末装置の各々の位置情報に基づいて、複数の前記歩行者端末装置の各々を所持する歩行者が近傍の別の歩行者で取り囲まれた包囲状態であるか否かを判定し、前記歩行者が前記包囲状態である場合には、該当する前記歩行者端末装置に対して前記歩車間通信を停止する指示を行う構成とする。
【手続補正１１】
【補正対象書類名】明細書
【補正対象項目名】００３４
【補正方法】変更
【補正の内容】
【００３４】
また、第１０の発明は、車両に搭載される車載端末装置と、歩行者が所持する歩行者端末装置と、を備え、前記車載端末装置と前記歩行者端末装置との間で歩車間通信を行う歩車間通信システムであって、前記歩行者端末装置は、自装置の位置情報を取得する位置情報取得部と、前記車載端末装置との間で前記歩車間通信により通知情報を送受信する歩車間通信部と、この歩車間通信部を制御する制御部と、を備え、前記歩車間通信部は、自装置の周辺に存在する別の歩行者端末装置から送信される通知情報を受信し、前記制御部は、自装置の位置情報および前記通知情報に含まれる前記別の歩行者端末装置の位置情報に基づいて、自装置を所持する歩行者が近傍の別の歩行者で取り囲まれた包囲状態であるか否かを判定し、前記歩行者が前記包囲状態である場合には、前記歩車間通信を停止する構成とする。
【手続補正１２】
【補正対象書類名】明細書
【補正対象項目名】００３６
【補正方法】変更
【補正の内容】
【００３６】
また、第１１の発明は、車両に搭載される車載端末装置と、歩行者が所持する歩行者端末装置との間で歩車間通信を行う歩車間通信方法であって、前記歩行者端末装置において、自装置の位置情報を取得し、自装置の周辺に存在する別の歩行者端末装置から送信される位置情報を受信し、自装置および前記別の歩行者端末装置の位置情報に基づいて、自装置を所持する歩行者が近傍の別の歩行者で取り囲まれた包囲状態であるか否かを判定し、前記歩行者が前記包囲状態である場合には、前記歩車間通信を停止する構成とする。